(57)【要約】【課題】  １つの鎖錠棒を備えただけで観音開きする一方の扉を開放しても他方の扉の閉状態を維持できる電気機器収納用キャビネットを提供する。【解決手段】  一方の扉２ａに平面ハンドル３を設ける一方、他方の扉２ｂに本体１の開口部上下端部に係止して扉２をロックする鎖錠棒４を設け、鎖錠棒４の中央に設けられて鎖錠棒４を伸縮させる回動板４ｃに、平面ハンドル３の背部に設けられベロ３１が係止する係止片４１を設け、鎖錠棒４が本体１に係止して他方の扉２ｂがロック状態にあるときに、一方の扉２ａが閉扉されて平面ハンドル３のロック操作が成されると、ベロ３１が係止片４１に係止して一方の扉２ａもロックされる。【選択図】  図１
2015200169.tif 000002
【特許請求の範囲】
【請求項１】
キャビネットの本体の開口部に、観音開き式の一対の扉が設けられたキャビネットの扉ロック構造であって、
一方の扉に開閉操作手段を設けると共に、他方の扉に前記本体の開口部上下端部に係止して扉をロックする鎖錠棒を設け、
当該鎖錠棒は、中央に設けられた回動板の回動により伸縮すると共に、前記回動板には前記開閉操作手段の背部に設けられたベロが係止する係止片を備え、
前記鎖錠棒が前記本体に係止して前記他方の扉がロック状態にあるときに、前記一方の扉が閉扉されて前記開閉操作手段によるロック操作が成されると、前記ベロが前記係止片に係止して前記一方の扉もロックされることを特徴とするキャビネットの扉ロック構造。
【請求項２】
前記回動板には、直接回動操作して前記鎖錠棒のロック／ロック解除を行うための操作部材が設けられて成ることを特徴とする請求項１記載のキャビネットの扉ロック構造。
【請求項３】
前記鎖錠棒がロック解除状態にあるときに、前記一方の扉が閉扉されて前記開閉操作手段によるロック操作が成されると、回動する前記ベロが前記回動板に当接して前記回動板を回動させ、更に前記ベロの回動係合作用により前記係止片に前記ベロが係止し、双方の扉がロック状態となることを特徴とする請求項１又は２記載のキャビネットの扉ロック構造。
【請求項４】
前記回動板は、扉前面に対して回動面が平行となるよう配置されて成ることを特徴とする請求項１乃至３の何れかに記載のキャビネットの扉ロック構造。
【発明の詳細な説明】
【技術分野】
【０００１】
本発明は、例えば電気機器を収納するキャビネットの扉ロック構造に関し、特に観音開きの扉を備えたキャビネットの扉ロック構造に関する。
【背景技術】
【０００２】
観音開きする扉を備えた従来のキャビネットは、最初に開放操作する一方の扉にキャビネット本体の上下端部に係止して開放を阻止するための鎖錠棒が配置され、扉に設けられたハンドルを操作して鎖状棒の係止を解除して開扉操作を可能としている。
そして、このようなキャビネットの他方の扉の形態としては、鎖状棒が設けられていないものと設けた構造のものがあり、設けられていないものは一方の扉を開けた状態では他方の扉も開閉自在であった（例えば、特許文献１参照）。
一方、他方の扉にも鎖錠棒が設けられていたものは、一方の扉を開放してもロック状態を維持でき、自然に開くことはなかった（例えば、特許文献２参照）。
【先行技術文献】
【特許文献】
【０００３】
【特許文献１】実開昭５８−４９４８２号公報
【特許文献２】特開平１１−１４６５１０号公報
【発明の概要】
【発明が解決しようとする課題】
【０００４】
上記双方の扉に鎖錠棒を設けたものは、収納された電気機器に対してメンテナンス等作業する際に、危険な部位に触れないよう一方を閉じた状態で作業できるため好ましい構造であったが、鎖錠機構が双方の扉に必要であるため、コスト高な構造であった。
【０００５】
そこで、本発明はこのような問題点に鑑み、１つの鎖錠棒を備えただけで観音開きする一方の扉を開放しても他方の扉の閉状態を維持できるキャビネットの扉ロック構造を提供することを目的としている。
【課題を解決するための手段】
【０００６】
上記課題を解決する為に、請求項１の発明は、キャビネットの本体の開口部に、観音開き式の一対の扉が設けられたキャビネットの扉ロック構造であって、一方の扉に開閉操作手段を設けると共に、他方の扉に本体の開口部上下端部に係止して扉をロックする鎖錠棒を設け、当該鎖錠棒は、中央に設けられた回動板の回動により伸縮すると共に、回動板には開閉操作手段の背部に設けられたベロが係止する係止片を備え、鎖錠棒が本体に係止して他方の扉がロック状態にあるときに、一方の扉が閉扉されて開閉操作手段によるロック操作が成されると、ベロが前記係止片に係止して一方の扉もロックされることを特徴とする。
この構成によれば、１つの鎖錠棒を設けるだけで観音開きする双方の扉をロックできるし、一方の扉を開けても他方の扉を閉じてロックした状態を維持させることができ、片方の扉のみ開けた状態での作業がし易い。
【０００７】
請求項２の発明は、請求項１に記載の構成において、回動板には、直接回動操作して鎖錠棒のロック／ロック解除を行うための操作部材が設けられて成ることを特徴とする。
この構成によれば、操作部材を操作することで回動板を操作できるため、鎖錠棒を備えた他方の扉に別途ロック／ロック解除機能を備えた開閉操作手段を設ける必要がない。よって、部材を削減できる。
【０００８】
請求項３の発明は、請求項１又は２に記載の構成において、鎖錠棒がロック解除状態にあるときに、一方の扉が閉扉されて開閉操作手段によるロック操作が成されると、回動するベロが回動板に当接して回動板を回動させ、更にベロの回動係合作用により係止片にベロが係止し、双方の扉がロック状態となることを特徴とする。
この構成によれば、鎖錠棒がロック状態に無くても、開閉操作手段のロック操作で、鎖錠棒を伸張させて扉をロックでき、鎖錠棒の状態にかかわらず簡易な操作でロックできる。
【０００９】
請求項４の発明は、請求項１乃至３の何れかに記載の構成において、回動板は、扉前面に対して回動面が平行となるよう配置されて成ることを特徴とする。
この構成によれば、鎖錠棒を伸縮させる機構の奥行きを薄くでき、機器を収納する内部空間を広く取ることができる。
【発明の効果】
【００１０】
本発明によれば、１つの鎖錠棒を設けるだけで観音開きする双方の扉をロックできるし、一方の扉を開けても他方の扉を閉じたロック状態を維持させることができ、片方の扉のみ開けた状態での作業がし易い。
【図面の簡単な説明】
【００１１】
【図１】本発明に係るキャビネットの扉ロック構造の一例を示し、（ａ）はキャビネットの斜視図、（ｂ）はＡ１部拡大図である。
【図２】左右の扉を開扉したキャビネットの斜視図であり、図１とは反対方向から見た斜視図である。
【図３】Ａ２部拡大図である。
【図４】図１のキャビネットの扉を閉じてロックした状態の説明図であり、（ａ）は右側扉を透視した状態のキャビネット説明図、（ｂ）はＢ部拡大図である。
【図５】左扉のロックを解除した状態のＡ１部拡大図である。
【図６】キャビネットの扉ロック構造の他の例を示し、（ａ）はキャビネットの斜視図、（ｂ）はＣ１部拡大図である。
【図７】Ｃ２部拡大図である。
【図８】図６のキャビネットの平面ハンドル付近を拡大した正面説明図である。
【発明を実施するための形態】
【００１２】
以下、本発明を具体化した実施の形態を、図面を参照して詳細に説明する。図１，図２は本発明に係る扉ロック構造を備えたキャビネットの一例を示している。図１は一方の扉を開扉した状態で、（ａ）は斜め下方から見た斜視図、（ｂ）はＡ１部の拡大図である。図２は双方の扉を開扉した状態を示し、図１は右下方向から見た図、図２は左下方から見た図を示している。
図１，２において、１は電気機器等を収納するキャビネットの本体、２は観音開きする一対の扉、３は開閉操作及びロック／ロック解除操作するための平面ハンドル、４は鎖錠棒である。
【００１３】
本体１は、背板１ａ、天板１ｂ、底板１ｃ、左右側板１ｄ，１ｄを有し、前面が開口され、扉（正面視右側に配置される第１扉２ａ、左側に配置される第２扉２ｂ）２が開口された前面を閉塞するよう設けられている。
第１扉２ａは、右側部が本体１に蝶着され、開閉操作する平面ハンドル３を備えている。第２扉２ｂは、左側部が本体１に蝶着されて開放端側である右側部の外側に、右側部に沿って鎖錠棒４が取り付けられている。
【００１４】
鎖錠棒４は、上部に配置された上部棒体４ａと下部に配置された下部棒体４ｂとが、中央に配置された回動板４ｃにより連結されている。両棒体４ａ，４ｂは上下方向に略一直線に配置され、先端部が第２扉２ｂに設けられた支持孔２１に挿通されて支持されている。尚、回動板４ｃは第２扉２ｂの側面に軸着され、棒体４ａ，４ｂは軸着部を中心に対向する部位に連結されている。
【００１５】
この結果、回動板４ｃの回動により棒体４ａ，４ｂは上下動して鎖錠棒４全体では伸縮動作し、上下方向に伸張した状態では上下端部が第２扉２ｂから突出して、本体１に形成された係止溝１１に係止し、収縮した状態では第２扉２ｂの縦幅内に収まるよう構成されている。こうして、扉２の上方及び下方に出没可能となっている。尚、図１は、鎖錠棒４を伸張して、第２扉２ｂをロックした状態を示している。
【００１６】
図３は図１（ｂ）のＡ２部を拡大した図であり、回動板４ｃを示している。図３に示すように、回動板４ｃには後述する平面ハンドル３に設けられたベロ３１が係止する係止片４１と、鎖錠棒４を伸縮操作する操作部材４２とが設けられ、第２扉２ｂの側面に突設された支持軸４３に回動可能に連結されている。尚、操作部材４２は棒体４ａ，４ｂを回動板４ｃへ連結するねじにより形成されている。
第２扉２ｂをロックした状態の回動板４ｃの回動位置では、係止片４１が前方に突出するよう配置され、ベロ３１を係止する係止凹部４１ａが下方を向いた状態にあり、平面ハンドル３の操作で上方に回動移動するベロ３１を係止するよう配置される。
【００１７】
図４は閉扉してロックした状態にあるキャビネットの説明図であり、（ａ）は第１扉２ａを透視状態としたキャビネットの斜視図、（ｂ）はＢ部拡大図である。平面ハンドル３は第１扉２ａを貫通して設けた回転軸３３を有し、回転軸３３の後端部である第１扉２ａの背面にベロ３１が固着されている。
平面ハンドル３がハンドルケース３２に収納された図４の状態、或いはハンドルケース３２から前方へ引き出しただけの状態（図示せず）では、ベロ３１は左側に突出して回動板４ｃの係止片４１に係止されたロック状態にあり、第１扉２ａの開放を不可としている。
【００１８】
そして、この平面ハンドル３を前方に引き出して側方（右方向）に回動すると、ベロ３１が下方に回動して係止片４１への係止が解除され、即ちロックが解除されて、第１扉２ａを前方へ引くことが可能となり開扉できる。
【００１９】
こうして第１扉２ａを開いた状態が図１の状態となる。この状態では第２扉２ｂはまだロックされた状態にあり、鎖錠棒４を収縮させない限りロック状態は維持される。
第２扉２ｂのロック解除は、図３に示す操作部材４２を矢印Ｓの方向へ手動で回転操作して回動板４ｃを回転させることで実施される。操作部材４２の回動操作で鎖錠棒４は収縮して、本体１との係止が解除される。図５は、こうしてロックを解除した状態のＡ１部を示している。
【００２０】
このように、１つの鎖錠棒４を設けるだけで観音開きする双方の扉２ａ，２ｂをロックできるし、一方の扉（第１扉２ａ）を開けても他方の扉（第２扉２ｂ）を閉じてロックした状態を維持させることができ、片方の扉２のみ開けた状態での作業がし易い。
また、操作部材４２を操作することで回動板４ｃを操作できるため、鎖錠棒４を備えた第２扉２ｂに別途ロック／ロック解除機能を備えた平面ハンドル等の開閉操作手段を設ける必要がない。よって、部材を削減できる。
【００２１】
尚、第２扉２ｂをロックしない状態でも、平面ハンドル３のロック操作で両扉２をロックできる。具体的に、係止片４１が前方へ配置されずに鎖錠棒４を収縮させた図５に示す状態において、第１扉２ａを閉扉操作して平面ハンドル３を下方に回動すると、連動して下方を向いていたベロ３１は図４に示す右方向に回動する。この動作により、ベロ３１が回動板４ｃに当接して、回動板４ｃを回動させる。その結果、双方の棒体４ａ，４ｂは突出動作して第２扉２ｂをロックする。同時に、回動して前方に突出した係止片４１にベロ３が係止して第１扉２ａもロックされる。
よって、鎖錠棒４がロック状態に無くても、平面ハンドル３のロック操作で、鎖錠棒４を伸張させて第２扉２ｂ及び第１扉２ａをロックでき、鎖錠棒４の状態にかかわらず簡易な操作でロックできる。
【００２２】
次に、キャビネットの扉ロック構造の他の形態を説明する。上記形態は鎖錠棒４を伸縮させる回動板４ｃを第２扉２ｂの側面に軸着し、その回動面をキャビネットの前後方向としているが、回動面をキャビネット前面となる扉２の前面に平行に配置しても良く、図６はこのように回動板を配置した構成を示し、（ａ）はキャビネットの斜視図、（ｂ）はＣ１部拡大図を示している。以下、上記実施形態と相違する部位を説明する。尚、上記形態と同様の構成要素には同一の符号を付してある。
【００２３】
図６に示すように、第２扉２ｂの開放側側部にはスカート板２３が延設され、このスカート板２３上に回動板４としての摺動板２４が配置されている。
更に拡大した図７を参照して具体的に説明する。第２扉２ｂの前面から折り曲げ形成された側辺２２の先端となる奥部に、扉前面と平行にスカート板２３を延設し、このスカート板２３上に摺動板２４が取り付けられている。摺動板２４は仮想中心Ｍが設定されて、その仮想中心Ｍを中心として円弧状の長孔２４ａが一対形成され、この長孔２４ａを介してねじ２５によりスカート板２３に摺動可能にねじ止めされている。
また、摺動板２４の第１扉２ａ側の端部には、平面ハンドル３のベロ３１が係止する係止片４１が前方に突出形成されているし、仮想中心Ｍを中心として係止片４１に対応する位置には操作部材４２が設けられ、手動による摺動操作（回動操作）を可能としている。
【００２４】
図８は図６のキャビネットの平面ハンドル３付近を拡大した正面説明図であり、この図８に示すように、ベロ３１は平面ハンドル３の右側に突出し、平面ハンドル３のロック操作で摺動板２４の係止片４１に係止して扉２はロックされる。
【００２５】
このように、摺動板２４を扉２の前面と平行に配置、即ち摺動面（仮想中心Ｍを中心とした回動面）を扉２の前面と平行に設けても良く、上述した回動板４ｃを縦配置したキャビネットと同様の効果に加えて、鎖錠棒を伸縮させる機構の奥行きを薄くできるため、機器を収納する内部空間を広げることができる。特に、摺動板２４は仮想中心Ｍの周囲に設けた円弧状の長孔２４ａの作用で回転させており、軸部材を設けていないため、伸縮機構の奥行きを最小限にできる。
尚、摺動板２４は、仮想中心Ｍの周囲に円弧状の長孔２４ａを形成して摺動により回転させているが、上記回動板４ｃの支持軸４３と同様の軸部材を設けても良い。
【産業上の利用可能性】
【００２６】
上記実施形態は、電気機器を収納するキャビネットについて説明したが、他の用途のキャビネットに対しても良好に使用でき、簡易な構造で観音開きの扉をロックできる。
【符号の説明】
【００２７】
１・・本体、２・・扉、２ａ・・第１扉、２ｂ・・第２扉、３・・平面ハンドル（開閉操作手段）、４・・鎖錠棒、４ａ・・上部棒体、４ｂ・・下部棒体、４ｃ・・回動板、２４・・摺動板（回動板）、２４ａ・・長孔、３１・・ベロ、３３・・回転軸、４１・・係止片、４２・・操作部材。
【図１】
2015200169.tif 000003
【図２】
2015200169.tif 000004
【図３】
2015200169.tif 000005
【図４】
2015200169.tif 000006
【図５】
2015200169.tif 000007
【図６】
2015200169.tif 000008
【図７】
2015200169.tif 000009
【図８】
2015200169.tif 000010